(57)【特許請求の範囲】
【請求項１】
駐車場内に設置され、携帯端末が内蔵する非接触ＩＣカードに対して読み書きを行う複数のＲ／Ｗ部と、
複数のＲ／Ｗ部と通信可能になされたＲ／Ｗ部設定装置と、
を備え、
このＲ／Ｗ部設定装置は、
設定対象となるＲ／Ｗ部を指定する設定対象指定手段と、
設定対象となるＲ／Ｗ部の駐車場内の設置位置である駐車場位置データを登録する駐車場位置データ登録手段と、
設置位置の表示とともに表示する情報であって、アンケートの回答を募るためのアンケート回答用ホームページへの閲覧を誘う内容を含むアンケート応募依頼データを登録するアンケート応募依頼登録手段と、
アンケートの回答に応じたときに閲覧するアンケート回答用ホームページのＵＲＬを登録するＵＲＬ登録手段と、
これら駐車場位置データおよびアンケート応募依頼データを表示するとともにアンケート回答用ホームページのＵＲＬへアクセス可能とする表示データを生成して設定対象となるＲ／Ｗ部に登録する表示データ登録手段と、
として機能し、
また、表示データが登録済みであって、携帯端末がかざされたＲ／Ｗ部は、
携帯端末の非接触ＩＣカードに表示データを書き込む書込手段と、
として機能し、
携帯端末が非接触ＩＣカードの表示データを読み出して駐車場位置とともにアンケート応募依頼を表示し、アンケートに応募するときにアドレスがＵＲＬであるアンケート回答用ホームページへアクセスすることを特徴とする駐車位置情報配信サービスシステム。
【請求項２】
請求項１に記載の駐車位置情報配信サービスシステムにおいて、
アンケート回答用ホームページを開設する情報収集サーバと、
情報収集サーバに接続される収集情報データベースと、
をさらに有し、
情報収集サーバは、
アンケート回答用ホームページにアクセスした携帯端末へアンケートデータを送信するアンケートデータ送信手段と、
アンケートに答えて生成された回答データを携帯端末から受信する回答データ受信手段と、
回答データを送信した携帯端末へコンテンツデータを送信するコンテンツデータ送信手段と、
回答データを収集情報データベースに書き込む回答データ書込手段と、
として機能することを特徴とする駐車位置情報配信サービスシステム。
【請求項３】
請求項２に記載の駐車位置情報配信サービスシステムにおいて、
収集情報データベースに蓄積された回答データを読み出し、この回答データを解析して解析データを生成する情報解析コンピュータと、
を備えることを特徴とする駐車位置情報配信サービスシステム。
【発明の詳細な説明】
【技術分野】
【０００１】
本発明は、駐車位置についての情報を提供する駐車位置情報配信サービスシステムに関する。
【背景技術】
【０００２】
近年、ショッピングモールなど大型施設が多数開設されており、これら大型施設には大規模な駐車場が併設されることが多い。場合によっては屋上を含む複数階が駐車場に割り当てられることもある。このため、駐車場利用者が混乱して駐車位置がわからなくなるという問題が少なからず起こっていた。
【０００３】
このような問題に対処するため、駐車位置を案内するシステムが開発されている。例えば、特許文献１（特開２００６−１２００２２号公報，発明の名称「駐車位置情報提供システム」）や特許文献２（特開２００２−２１６２９７号公報，発明の名称「駐車位置案内システム」）に記載の従来技術が知られている。
【０００４】
特許文献１に記載の従来技術は、利用者が、駐車した後に、タグリーダ機能付き携帯電話機を駐車エリアに設置されている非接触ＩＣタグにかざすと、タグリーダ機能付き携帯電話機は駐車エリア番地とゲートからの方向を含む駐車位置情報を読み取って記憶し、その後、利用者が駐車位置確認モードにすると、記憶部に記憶している駐車エリア番地とゲートからの方向を含む情報を読み出して、表示部に表示させる、というものである。
【０００５】
また、特許文献２に記載の従来技術は、駐車位置データが書き込まれた非接触ＩＣカードをゲートに設けられた非接触ＩＣカード検知部に検知させ、表示用矢印による指示と音声による誘導によって、駐車位置まで利用者を誘導する、というものである。
【０００６】
また、ショッピングモールなど大型施設ではアンケートにより営業の改善を図りたいという要請があり、効率的にアンケートを採る手法として携帯電話の利用が検討されている。このような携帯電話を利用するアンケート手法について、例えば、特許文献３（特開２００３−３６３３０号公報，発明の名称「アンケート方法、イベントマーケティングシステム及びサーバ」）に記載の従来技術が知られている。
【０００７】
この特許文献３に記載の従来技術は、以下のようになる。まず、イベント会場の各ブースに設置されたブース設備は、自設備の設置されているブースに入場した招待客の携帯する非接触ＩＣチップシートから招待番号を読み出して、イベントサーバへ送信する。イベントサーバは、ブース設備から送信されてきた招待番号に対応する招待客の移動機宛に、アンケートに対し回答するためのアンケートページに対応したＵＲＩを記述した電子メールを送信する。一方、電子メールに記述されたＵＲＩに従い、招待客がアンケートページにおいてアンケートに答えると、その回答内容に従って、イベントサーバがアンケート情報集計を更新する。特許文献３に記載の従来技術はこのようなものである。
【０００８】
【特許文献１】特開２００６−１２００２２号公報（段落番号［００３４］，［００３５］）
【特許文献２】特開２００２−２１６２９７号公報（図１）
【特許文献３】特開２００３−３６３３０号公報（段落番号［００４１］〜［００４４］）
【発明の開示】
【発明が解決しようとする課題】
【０００９】
特許文献１，２に記載の従来技術では駐車場内の案内のみ行うシステムであるため、システムが活用されていないという問題があった。駐車情報を提供するシステムに、ある種の他の機能を持たせること、例えばアンケート収集などが考えられるが、特許文献３の従来技術は、駐車情報を提供するシステムに対してそのまま適用できないものであった。駐車場内の案内のみ行うシステムに対して、簡易な手法にて他の機能を併せ持たせることにより、高機能化を図り、システムを無駄なく利用したいという要請があった。
【００１０】
そこで、本発明は、上述の課題を解決するためになされたものであり、駐車情報以外の情報提供を行えるようにしてシステムの有効利用を図ることで付加価値を高め、総じて駐車場運営主体が導入しやすくした駐車位置情報配信サービスシステムを提供することにある。
【課題を解決するための手段】
【００１１】
本発明の請求項１に係る駐車位置情報配信サービスシステムは、
駐車場内に設置され、携帯端末が内蔵する非接触ＩＣカードに対して読み書きを行う複数のＲ／Ｗ部と、
複数のＲ／Ｗ部と通信可能になされたＲ／Ｗ部設定装置と、
を備え、
このＲ／Ｗ部設定装置は、
設定対象となるＲ／Ｗ部を指定する設定対象指定手段と、
設定対象となるＲ／Ｗ部の駐車場内の設置位置である駐車場位置データを登録する駐車場位置データ登録手段と、
設置位置の表示とともに表示する情報であって、アンケートの回答を募るためのアンケート回答用ホームページへの閲覧を誘う内容を含むアンケート応募依頼データを登録するアンケート応募依頼登録手段と、
アンケートの回答に応じたときに閲覧するアンケート回答用ホームページのＵＲＬを登録するＵＲＬ登録手段と、
これら駐車場位置データおよびアンケート応募依頼データを表示するとともにアンケート回答用ホームページのＵＲＬへアクセス可能とする表示データを生成して設定対象となるＲ／Ｗ部に登録する表示データ登録手段と、
として機能し、
また、表示データが登録済みであって、携帯端末がかざされたＲ／Ｗ部は、
携帯端末の非接触ＩＣカードに表示データを書き込む書込手段と、
として機能し、
携帯端末が非接触ＩＣカードの表示データを読み出して駐車場位置とともにアンケート応募依頼を表示し、アンケートに応募するときにアドレスがＵＲＬであるアンケート回答用ホームページへアクセスすることを特徴とする。
【００１２】
また、本発明の請求項２に係る駐車位置情報配信サービスシステムは、
請求項１に記載の駐車位置情報配信サービスシステムにおいて、
アンケート回答用ホームページを開設する情報収集サーバと、
情報収集サーバに接続される収集情報データベースと、
をさらに有し、
情報収集サーバは、
アンケート回答用ホームページにアクセスした携帯端末へアンケートデータを送信するアンケートデータ送信手段と、
アンケートに答えて生成された回答データを携帯端末から受信する回答データ受信手段と、
回答データを送信した携帯端末へコンテンツデータを送信するコンテンツデータ送信手段と、
回答データを収集情報データベースに書き込む回答データ書込手段と、
として機能することを特徴とする。
【００１３】
また、本発明の請求項３に係る駐車位置情報配信サービスシステムは、
請求項２に記載の駐車位置情報配信サービスシステムにおいて、
収集情報データベースに蓄積された回答データを読み出し、この回答データを解析して解析データを生成する情報解析コンピュータと、
を備えることを特徴とする。
【発明の効果】
【００１５】
本発明によれば、駐車情報以外の情報提供を行えるようにしてシステムの有効利用を図ることで付加価値を高め、総じて駐車場運営主体が導入しやすくした駐車位置情報配信サービスシステムを提供することができる。
【発明を実施するための最良の形態】
【００１６】
続いて本発明の駐車位置情報配信サービスシステムを実施するための最良の形態について図に基づき説明する。図１は本形態の駐車位置情報配信サービスシステムの構成図、図２は駐車場におけるＲ／Ｗ部の設置例を説明する説明図である。
駐車位置情報配信サービスシステム１０は、図１で示すように、リード／ライド部設定装置（以下、Ｒ／Ｗ部設定装置）１、通信線２、複数（図１では例示的に８個としている）のリード／ライド部（以下、Ｒ／Ｗ部）３を備える。このＲ／Ｗ部３は、例えば、図２で示すように駐車スペースの近くに設置される。Ｒ／Ｗ部設定装置１とＲ／Ｗ部３とは、通信線２を介して通信可能に接続されている。
【００１７】
続いて各構成について説明する。
Ｒ／Ｗ部設定装置１は、例えば、駐車場から遠隔地にある管理室など居室内に設置されているパーソナルコンピュータなどであり、Ｒ／Ｗ部３に対して各種設定ができるようになされている。設定については後述する。
【００１８】
通信線２は、例えば、構内ＬＡＮに用いられるケーブルなどである。なお、図１では複数のＲ／Ｗ部３が一本の通信線２にバス接続されているものとしているが、そのような接続形態に限定するものではなく、各種の形態を採用することができる。例えば、リング状の基幹ケーブルから分岐するケーブルに接続するような形態などが考えられる。また、通信線２は、途中で無線通信を介在させたり、あるいは無線通信のみとするようにしても良い。
【００１９】
Ｒ／Ｗ装置３は、Ｒ／Ｗ部設定装置１により設定された各種情報を含む表示データを記憶部などに登録し、携帯端末が内蔵する非接触ＩＣカードに対してこの表示データを書き込んで登録する機能を有している。なお、表示データについては後述する。
【００２０】
続いて、Ｒ／Ｗ部設定装置１によるＲ／Ｗ装置３への設定について説明する。図３は、Ｒ／Ｗ部への設定画面の説明図である。
Ｒ／Ｗ装置３への設定を行う際、Ｒ／Ｗ部設定装置１は、設定プログラムを起動して、図３に示すような設定画面を表示する。
【００２１】
まず、Ｒ／Ｗ部設定装置１は、設定対象となるＲ／Ｗ部３を指定する設定対象指定手段として機能する。具体的には図３で示すようにＡの設定対象指定欄に設定対象となるＲ／Ｗ部３を入力して指定する。本形態では、例えば、「Ｒ／Ｗ部（１）」を指定するものとする。
【００２２】
続いてＲ／Ｗ部設定装置１は、設定対象となるＲ／Ｗ部３の駐車場内の設置位置である駐車場位置データを登録する駐車場位置データ登録手段として機能する。具体的には図３で示すようにＢの駐車場位置データ登録欄に設定対象となるＲ／Ｗ部（１）の駐車場内の設置位置である駐車場位置を入力して登録する。後述するがこの駐車場位置データ登録欄に書き込まれた内容が携帯端末の画面表示部に表示される。本形態では駐車位置を表すため、例えば、階数を表すフロア、同じ階における駐車場を複数に分けるエリア、同一エリア内を更に複数区画に分けるブロックという単位をそれぞれ設定するものとする。具体的には図３に示すように「６階フロア・南エリア・Ｂブロック」というものである。駐車場位置データとしては「駐車位置は、６階フロア・南エリア・Ｂブロックです。」という表現になる。
【００２３】
続いてＲ／Ｗ部設定装置１は、アンケートの回答を募る情報であってアンケート回答用ホームページへの閲覧を誘う内容を含むアンケート応募依頼データを登録するアンケート応募依頼登録手段として機能する。具体的には図３で示すようにＣのアンケート応募依頼登録欄にアンケート応募依頼を入力して登録する。本形態ではアンケートの応募を募る内容を設定するものであり、例えば、「アンケートに答えて待受画面を獲得しよう！アンケートに答えますか？」という表現になる。
【００２４】
続いて、Ｒ／Ｗ部設定装置１は、アンケートの回答に応じたときに閲覧するアンケート回答用ホームページのＵＲＬを登録するＵＲＬ登録手段として機能する。具体的には図３で示すようにＤのＵＲＬ登録欄にＵＲＬを入力して登録する。本形態では、例えば、「http://www.○○○.co.jp 」という記述となる。この移動ＵＲＬ指定欄に書き込まれたＵＲＬへ携帯端末がアクセスすることとなる。
【００２５】
これら設定が終了した後にマウスを操作して図３に示すデータ書込ボタンを押す操作を行うと、Ｒ／Ｗ部設定装置１は、設定対象となるＲ／Ｗ部３に対して、これら駐車場位置データおよびアンケート応募依頼データを表示するとともにアンケート回答用ホームページのＵＲＬへアクセス可能とする表示データを生成して登録する表示データ登録手段として機能する。Ｒ／Ｗ部３（この場合はＲ／Ｗ部（１））は、Ｒ／Ｗ部設定装置１から送信された表示データを受信し、この表示データを登録する。以下、他のＲ／Ｗ部３へも同様の処理を行う。なお、アンケート応募依頼データおよびＵＲＬは全てのＲ／Ｗ部３で同じ内容が書き込まれる。Ｒ／Ｗ部設定装置１による設定は、このようなものである。
【００２６】
続いて駐車位置情報配信サービスシステム１０の運用について説明する。図４はＲ／Ｗ部から携帯端末への書き込みを説明する説明図である。図５は携帯端末における画面表示を説明する説明図である。
図４で示すように、携帯端末２０をＲ／Ｗ部３の読み書き位置（図４では円内）に配置すると、Ｒ／Ｗ部３は、携帯端末２０が内蔵する非接触ＩＣカードと電磁結合し、続いてカードＩＤデータを読み出す。Ｒ／Ｗ部３は、カードＩＤデータを読み出したことで携帯端末２０が配置されていると判断し、先に登録された表示データを携帯端末２０が内蔵する非接触ＩＣカードへ書き込む。
【００２７】
すると、携帯端末２０では、表示データを読み出すとともにブラウザを立ち上げて図５で示すような画面表示部２１に駐車場位置データおよびアンケート応募依頼データの表示を行う。これにより駐車場位置の確認ができる。そして、アンケートに答える選択をして「はい」を押したならば、ＵＲＬをアドレスとするホームページを閲覧する処理を開始する。
以下、Ｒ／Ｗ部３とは通信せず、ホームページを運用するサーバ（情報収集サービスシステム１００）とのやりとりとなる。
【００２８】
続いて情報収集サービスシステム１００について説明する。図６は情報収集サービスシステムの説明図、図７は情報収集サービスシステムと携帯端末との送受信を説明する説明図である。情報収集サービスシステム１００は、図６で示すように、情報収集サーバ４０、収集情報データベース５０、情報解析コンピュータ６０を有し、さらに携帯端末２０、インターネット回線３０を備えて完成されるシステムである。
携帯端末２０と情報収集サーバ４０とは、インターネット回線３０を介して通信可能に接続されている。
【００２９】
携帯端末２０は、インターネット回線３０と接続される。
インターネット回線３０は、携帯端末２０と接続するための移動体通信回線を含む回線である。
情報収集サーバ４０は、インターネット回線３０と接続されている。情報収集サーバ４０は、後述するアンケートによる回答データを収集する処理を行う。
収集情報データベース５０は、情報収集サーバ４０で収集した回答データを蓄積する。
情報解析コンピュータ６０は、後述するが、収集情報データベースに蓄積された回答データを読み出し、この回答データを解析して解析データを生成する
【００３０】
続いて、アンケートによる回答データの蓄積処理について説明する。
図７で示すように、携帯端末２０がアンケート回答用ホームページにアクセスすると、情報収集サーバ４０は、アンケート回答用ホームページにアクセスした携帯端末２０へアンケートデータを送信するアンケートデータ送信手段として機能する。
【００３１】
携帯端末２０は、アンケートデータを受信する。そして携帯端末２０がアンケートデータを読み出すとともにブラウザを立ち上げてアンケート回答を依頼する表示がなされる。アンケート回答終了後に回答データが生成される。携帯端末２０には回答が終わったか否かを確認する表示がなされ、「はい」を押したならば、ＵＲＬをアドレスとする情報収集サーバ４０へ回答データを送信する。
【００３２】
情報収集サーバ４０は、アンケートに答えて生成された回答データを携帯端末２０から受信する回答データ受信手段として機能する。
続いて情報収集サーバ４０は、回答データを送信した携帯端末２０へコンテンツデータを送信するコンテンツデータ送信手段として機能する。コンテンツは携帯電話用待受画面データであるが、その他にも、例えば、携帯電話用の音楽データ、ゲームデータなどとしても良い。また、コンテンツに加えてショッピングモール内の各店舗のクーポンを加えても良い。
【００３３】
携帯端末２０は、コンテンツデータを受信する。携帯端末２０ではコンテンツデータが適宜利用されることとなる。
なお、以後、携帯端末２０は、ブラウザの前画面表示機能を用いればいつでも図５で示した画面を読み出して駐車場位置が確認できるため、駐車場で車をどこに停めたかわからなくなる事態の発生を回避している。
【００３４】
情報配信サーバ４０は、回答データを収集情報データベース５０に書き込む回答データ書込手段として機能する。収集情報データベース５０では駐車場に訪れた多数来場者からの回答データを蓄積する。この回答データは、例えば、一ヶ月間蓄積されるようにして、多数の来場者からの回答データを得る。
そして情報解析コンピュータ６０は、収集情報データベース５０に蓄積された多数の回答データを統計的解析等の各種解析を行って解析データを生成し、来場者の特徴や嗜好に応じてマーケティングに利用したりする。情報収集サービスシステム１００はこのようなものである。
【００３５】
以上説明した本発明の駐車位置情報配信サービスシステムについて説明した。なお、先の説明では駐車位置情報配信サービスシステム１０と情報収集サービスシステム１００は別形態であるとして説明した。これは駐車場運用主体が、他の企業などからアンケート収集を依頼されて協力する場合などが想定できる。この場合、駐車場運用主体が駐車位置情報配信サービスシステム１０を運用し、他の企業などが情報収集サービスシステム１００を運用する。駐車場運用主体が駐車位置情報配信サービスシステム１０を利用する他の企業から報酬を得られれば、システム運用費用の一助となる。
【００３６】
また、駐車位置情報配信サービスシステム１０と情報収集サービスシステム１００とを共に同一の者が運用する場合もあり、駐車位置情報配信サービスシステム１０と情報収集サービスシステム１００とをともに備えるような駐車位置情報配信サービスシステム１０としても良い。このような場合でも、システムの有効利用が期待できる。
【００３７】
また、アンケート応募依頼登録ではアンケートの回答を募る情報であってアンケート回答用ホームページへの閲覧を誘う内容を含むアンケート応募依頼データを登録するものとして説明した。しかしながら、アンケート回答用ホームページではなく単なるホームページへアクセスするようにしても良い。
この場合Ｒ／Ｗ部設定装置１は、アンケート応募依頼登録に代えて、設置位置の表示とともに表示する情報であって他のホームページへの閲覧を誘う内容を含む報知情報データを登録する報知情報データ登録を行う。すると携帯端末２０が内蔵する非接触ＩＣカードの表示データを読み出して駐車場位置とともに報知情報を表示し、アドレスがＵＲＬである他のホームページへアクセス可能にする。このようにして、他のホームページへのアクセス数の増加を図ることでも、宣伝機能・広告機能を発揮するものとなり、他のホームページを運用している運用主体から報酬を得ても良い。駐車位置情報配信サービスシステム１０をこのように構成しても良い。
【００３８】
以上説明した駐車位置情報配信サービスシステム１０によれば、駐車情報以外にも、情報（例えば他のホームページへの誘導やアンケート応募など）の提供を行えるようにしてシステムの有効利用を図ることで付加価値を高め、総じて駐車場運営主体が報酬やアンケートなど情報収集を見込めるため、導入しやすい駐車位置情報配信サービスシステムを提供することができる。
【図面の簡単な説明】
【００３９】
【図１】本発明を実施するための最良の形態の駐車位置情報配信サービスシステムの構成図である。
【図２】駐車場におけるＲ／Ｗ部の設置例を説明する説明図である。
【図３】Ｒ／Ｗ部への設定画面の説明図である。
【図４】Ｒ／Ｗ部から携帯端末への書き込みを説明する説明図である。
【図５】携帯端末における画面表示を説明する説明図である。
【図６】情報収集サービスシステムの説明図である。
【図７】情報収集サービスシステムと携帯端末との送受信を説明する説明図である。
【符号の説明】
【００４０】
１０：情報配信サービスシステム
１：Ｒ／Ｗ部設定装置
２：通信線
３：Ｒ／Ｗ部
１００：情報収集サービスシステム
２０：携帯端末
２１：画面表示部
３０：インターネット回線
４０：情報収集サーバ
５０：収集情報データベース
６０：情報解析コンピュータ
【図１】
0004916417.tif 000002
【図２】
0004916417.tif 000003
【図３】
0004916417.tif 000004
【図４】
0004916417.tif 000005
【図５】
0004916417.tif 000006
【図６】
0004916417.tif 000007
【図７】
0004916417.tif 000008